(57)【特許請求の範囲】
【請求項１】
部品と、
前記部品が取り付けられる部品取付面を有する部品取付相手部材と、
前記部品を前記部品取付相手部材に固定する部品固定部材と、を備え、
前記部品取付相手部材は、前記部品取付面を間に挟んだ状態で設けられた弾性変形可能な第１柱部及び第２柱部と、前記第１柱部の外側に空間を挟んで設けられた第１押さえ部と、前記第２柱部の外側に空間を挟んで設けられた第２押さえ部と、を備え、
前記部品固定部材は、前記第１柱部と前記第１押さえ部の間の空間に挿入される第１くさび部と、前記第２柱部と前記第２押さえ部の間の空間に挿入される第２くさび部と、を備え、
前記部品は、当該部品の両側面が前記第１柱部と前記第２柱部で挟まれた状態で前記部品取付面上に配置されており、
前記部品取付面上に配置された前記部品は、前記部品固定部材を前記部品取付相手部材に近づけ前記第１くさび部が前記第１柱部と前記第１押さえ部の間の空間に挿入されることで前記第１柱部が弾性変形して前記部品の一方の側面側を押さえ、かつ、前記部品固定部材を前記部品取付相手部材に近づけ前記第２くさび部が前記第２柱部と前記第２押さえ部の間の空間に挿入されることで前記第２柱部が弾性変形して前記部品の他方の側面側を押さえることで、前記部品取付相手部材に固定された状態で取り付けられている部品取付構造。
【請求項２】
前記第１くさび部は、第１テーパ面を有し、
前記第２くさび部は、第２テーパ面を有し、
前記第１柱部は、当該第１柱部と前記第１押さえ部の間の空間に挿入された前記第１くさび部の前記第１テーパ面に当接した状態で弾性変形しており、
前記第２柱部は、当該第２柱部と前記第２押さえ部の間の空間に挿入された前記第２くさび部の前記第２テーパ面に当接した状態で弾性変形している請求項１に記載の部品取付構造。
【請求項３】
前記部品固定部材は、弾性変形された前記第１柱部が当接する第１当接部と、弾性変形された前記第２柱部が当接する第２当接部と、をさらに備える請求項２に記載の部品取付構造。
【請求項４】
前記部品固定部材と前記部品との間に配置されたばね部材を備える請求項３に記載の部品取付構造。
【請求項５】
前記部品固定部材には、前記第１柱部が挿入される第１穴、及び、前記第２柱部が挿入される第２穴が形成されており、
前記第１穴は、前記第１柱部が対応する位置から内側にシフトした位置に形成されており、
前記第２穴は、前記第２柱部が対応する位置から内側にシフトした位置に形成されている請求項１から４のいずれか１項に記載の部品取付構造。
【請求項６】
部品取付相手部材であって、
第１くさび部及び第２くさび部を備えた部品固定部材を用いて部品が取り付けられる部品取付面と、
前記部品取付面を間に挟んだ状態で設けられた弾性変形可能な第１柱部及び第２柱部と、
前記第１柱部の外側に前記第１くさび部が挿入される空間を挟んで設けられた第１押さえ部と、
前記第２柱部の外側に前記第２くさび部が挿入される空間を挟んで設けられた第２押さえ部と、を備え、
前記部品取付面上に配置された前記部品は、前記部品固定部材を前記部品取付相手部材に近づけ前記第１くさび部が前記第１柱部と前記第１押さえ部の間の空間に挿入されることで前記第１柱部が弾性変形して前記部品の一方の側面側を押さえ、かつ、前記部品固定部材を前記部品取付相手部材に近づけ前記第２くさび部が前記第２柱部と前記第２押さえ部の間の空間に挿入されることで前記第２柱部が弾性変形して前記部品の他方の側面側を押さえることで、前記部品取付相手部材に固定された状態で取り付けられる部品取付相手部材。
【請求項７】
前記部品取付相手部材には、前記部品が挿入される凹部が形成されており、
前記部品取付面は、前記凹部の底面である請求項６に記載の部品取付相手部材。
【請求項８】
部品固定部材であって、
部品取付相手部材に設けられた第１柱部とその外側に設けられた第１押さえ部の間の空間に挿入されることで前記第１柱部を弾性変形させて前記部品取付相手部材の部品取付面上に配置された部品の一方の側面側を押さえる第１くさび部と、前記部品取付相手部材に設けられた第２柱部とその外側に設けられた第２押さえ部の間の空間に挿入されることで前記第２柱部を弾性変形させて前記部品取付面上に配置された前記部品の他方の側面側を押さえる第２くさび部と、を備え、
前記部品取付面上に配置された前記部品は、前記部品固定部材を前記部品取付相手部材に近づけ前記第１くさび部が前記第１柱部と前記第１押さえ部の間の空間に挿入されることで前記第１柱部が弾性変形して前記部品の一方の側面側を押さえ、かつ、前記部品固定部材を前記部品取付相手部材に近づけ前記第２くさび部が前記第２柱部と前記第２押さえ部の間の空間に挿入されることで前記第２柱部が弾性変形して前記部品の他方の側面側を押さえることで、前記部品取付相手部材に固定された状態で取り付けられる部品固定部材。
【請求項９】
弾性変形された前記第１柱部が当接する第１当接部と、
弾性変形された前記第２柱部が当接する第２当接部と、をさらに備える請求項８に記載の部品固定部材。
【請求項１０】
部品を部品取付相手部材に設けられた弾性変形可能な第１柱部と第２柱部で挟まれた状態で前記部品取付相手部材の部品取付面上に配置する工程と、
部品固定部材を前記部品取付相手部材に近づけ前記部品固定部材の第１くさび部を前記第１柱部とその外側に設けられた第１押さえ部の間の空間に挿入することで前記第１柱部を弾性変形させて前記部品取付面上に配置された前記部品の一方の側面側を押さえる工程と、
部品固定部材を前記部品取付相手部材に近づけ前記部品固定部材の第２くさび部を前記第２柱部とその外側に設けられた第２押さえ部の間の空間に挿入することで前記第２柱部を弾性変形させて前記部品取付面上に配置された前記部品の他方の側面側を押さえる工程と、を備える部品固定方法。
【発明の詳細な説明】
【技術分野】
【０００１】
本発明は、部品取付構造、部品取付相手部材、部品固定部材、及び部品固定方法に関する。
【背景技術】
【０００２】
部品取付相手部材（例えば、電子機器筐体の底板）に４本の押さえ部材を設け、この４本の押さえ部材の弾性力により部品（例えば、電源トランス）の四隅を挟持することで、部品を部品取付相手部材に取り付ける部品取付構造が知られている（例えば、特許文献１参照）。
【先行技術文献】
【特許文献】
【０００３】
【特許文献１】実開平５−５３２８３号公報
【発明の概要】
【発明が解決しようとする課題】
【０００４】
特許文献１に記載の部品取付構造においては、部品を部品取付相手部材に取り付ける際、押さえ部材相互間を押し広げる作業、押さえ部材相互間を押し広げた状態で各押さえ部材に部品を嵌め合わせる作業が必要となるため、部品を部品取付相手部材に向けて一方向に移動させるだけでは、部品を部品取付相手部材に取り付けることができないという問題点があった。
【０００５】
本発明の目的は、上述した課題を鑑み、部品を部品取付相手部材に向けて一方向に移動させるだけで、部品を部品取付相手部材に取り付けることができる部品取付構造、部品取付相手部材、部品固定部材、及び部品固定方法を提供することにある。
【課題を解決するための手段】
【０００６】
本発明の部品取付構造は、部品と、前記部品が取り付けられる部品取付面を有する部品取付相手部材と、前記部品を前記部品取付相手部材に固定する部品固定部材と、を備え、前記部品取付相手部材は、前記部品取付面を間に挟んだ状態で設けられた弾性変形可能な第１柱部及び第２柱部と、前記第１柱部の外側に空間を挟んで設けられた第１押さえ部と、前記第２柱部の外側に空間を挟んで設けられた第２押さえ部と、を備え、前記部品固定部材は、前記第１柱部と前記第１押さえ部の間の空間に挿入される第１くさび部と、前記第２柱部と前記第２押さえ部の間の空間に挿入される第２くさび部と、を備え、前記部品は、当該部品の両側面が前記第１柱部と前記第２柱部で挟まれた状態で前記部品取付面上に配置されており、前記部品取付面上に配置された前記部品は、前記第１くさび部が前記第１柱部と前記第１押さえ部の間の空間に挿入されることで前記第１柱部が弾性変形して前記部品の一方の側面側を押さえ、かつ、前記第２くさび部が前記第２柱部と前記第２押さえ部の間の空間に挿入されることで前記第２柱部が弾性変形して前記部品の他方の側面側を押さえることで、前記部品取付相手部材に固定された状態で取り付けられている。
【０００７】
本発明の部品取付相手部材は、第１くさび部及び第２くさび部を備えた部品固定部材を用いて部品が取り付けられる部品取付面と、前記部品取付面を間に挟んだ状態で設けられた弾性変形可能な第１柱部及び第２柱部と、前記第１柱部の外側に前記第１くさび部が挿入される空間を挟んで設けられた第１押さえ部と、前記第２柱部の外側に前記第２くさび部が挿入される空間を挟んで設けられた第２押さえ部と、を備える。
【０００８】
本発明の部品固定部材は、部品取付相手部材に設けられた第１柱部とその外側に設けられた第１押さえ部の間の空間に挿入されることで前記第１柱部を弾性変形させて前記部品取付相手部材の部品取付面上に配置された部品の一方の側面側を押さえる第１くさび部と、前記部品取付相手部材に設けられた第２柱部とその外側に設けられた第２押さえ部の間の空間に挿入されることで前記第２柱部を弾性変形させて前記部品取付面上に配置された前記部品の他方の側面側を押さえる第２くさび部と、を備える。
【０００９】
本発明の部品固定方法は、部品を部品取付相手部材に設けられた弾性変形可能な第１柱部と第２柱部で挟まれた状態で前記部品取付相手部材の部品取付面上に配置する工程と、第１くさび部を前記第１柱部とその外側に設けられた第１押さえ部の間の空間に挿入することで前記第１柱部を弾性変形させて前記部品取付面上に配置された前記部品の一方の側面側を押さえる工程と、第２くさび部を前記第２柱部とその外側に設けられた第２押さえ部の間の空間に挿入することで前記第２柱部を弾性変形させて前記部品取付面上に配置された前記部品の他方の側面側を押さえる工程と、を備える。
【発明の効果】
【００１０】
本発明により、部品を部品取付相手部材に向けて一方向に移動させるだけで、部品を部品取付相手部材に取り付けることができる部品取付構造、部品取付相手部材、部品固定部材、及び部品固定方法を提供することができる。
【図面の簡単な説明】
【００１１】
【図１】部品取付構造１の斜視図である（光学センサ１０取付前）。
【図２】部品取付構造１の斜視図である（光学センサ１０取付後）。
【図３】図２の断面図である。
【発明を実施するための形態】
【００１２】
（実施形態１）
以下、本発明の実施形態１である部品取付構造１について添付図面を参照しながら説明する。各図において対応する構成要素には同一の符号が付され、重複する説明は省略される。
【００１３】
まず、図１を用いて、実施形態１にかかる部品取付構造１の構成について説明する。
【００１４】
図１は、部品取付構造１の斜視図である（光学センサ１０取付前）。図２は、部品取付構造１の斜視図である（光学センサ１０取付後）。図３は、図２の断面図である。
【００１５】
図１〜図３に示すように、部品取付構造１は、部品１０と、部品１０が取り付けられる部品取付相手部材２０と、部品１０を部品取付相手部材２０に固定する部品固定部材３０と、を備えている。部品固定部材３０は、後述するように部品１０に固定されている。以下、説明の便宜のため、ＸＹＺ軸を定義する。Ｘ軸及びＹ軸は、同一平面（例えば、水平面）内で直交している。Ｚ軸は、ＸＹ平面に直交する方向に延びている。
【００１６】
部品１０は、例えば、光学センサ等の樹脂成形部品である。以下、部品１０として光学センサを用いた例について説明する。光学センサは、例えば、コピー機、レシートプリンタ等の電子機器で用いられる。以下、光学センサ１０と呼ぶ。
【００１７】
光学センサ１０は、直方体形状のセンサケース１１と、センサケース１１の開口を閉塞する蓋部１２と、センサケース１１の底部１３に設けられたレンズ部１４と、を備えている。なお、光学センサ１０は当該光学センサ１０を構成する電子部品等を備えているが、電子部品等は、各図中省略されている。また、レンズ部１４はＹ軸方向に直列に２つ設けられているが、図１中、１つのレンズ部１４のみが描かれている。
【００１８】
部品取付相手部材２０は、例えば、樹脂製（合成樹脂製）である。部品取付相手部材２０は、部品取付相手部材本体２１と、部品取付面２２を間に挟んだ状態で設けられた弾性変形可能な第１柱部２４及び第２柱部２５と第１柱部２４の外側に空間Ｓ１（図１参照）を挟んで設けられた第１押さえ部２６と、第２柱部２５の外側に空間Ｓ２（図１参照）を挟んで設けられた第２押さえ部２７と、を備えている。
【００１９】
部品取付相手部材本体２１は、上面２１ａとその反対側の下面２１ｂを含む板状の部材である。上面２１ａには、光学センサ１０の下部が挿入される凹部２１ｃが形成されている。以下、凹部２１ｃの底面を部品取付面２２と呼ぶ。部品取付面２２は、例えば、ＸＹ平面に対して平行な平面である。下面２１ｂは、例えば、金融機関向け通伝プリンタの伝票が搬送される搬送面を構成している。
【００２０】
部品取付相手部材本体２１には、部品取付面２２とその反対側の下面２１ｂを貫通する２つの貫通穴２３ａ、２３ｂがＹ軸方向に直列に形成されている。部品取付面２２には、光学センサ１０が取り付けられる。具体的には、光学センサ１０は、その下部が凹部２１ｃに挿入された状態（図２、図３参照）で取り付けられる。その際、光学センサ１０は、その底部１３と部品取付面２２が当接（面接触）し、かつ、そのレンズ部１４（２カ所）が貫通穴２３ａ、２３ｂから露出した状態で取り付けられる。
【００２１】
部品取付面２２のＸ軸方向の両側には、後述のように弾性変形可能な第１柱部２４及び第２柱部２５が部品取付面２２を間に挟み、互いに対向した状態で設けられている。第１柱部２４及び第２柱部２５は、それぞれ、部品取付面２２のＹ軸方向の中央部に対応する位置に設けられている。第１柱部２４と第２柱部２５のＸ軸方向の間隔Ｌ１（図１参照）は、光学センサ１０のＸ軸方向の長さＬ２と同じ（又は略同じ）である。
【００２２】
第１柱部２４及び第２柱部２５は、それぞれ、Ｚ軸方向に延びる角柱である。以下、第１柱部２４の第２柱部２５が対向する側の面を内側面２４ａと呼び、その反対側の面を外側面２４ｂと呼ぶ。内側面２４ａ及び外側面２４ｂは、それぞれ、例えば、ＹＺ平面に対して平行な平面である（第１柱部２４が弾性変形される前）。同様に、第２柱部２５の第１柱部２４が対向する側の面を内側面２５ａと呼び、その反対側の面を外側面２５ｂと呼ぶ。内側面２５ａ及び外側面２５ｂは、それぞれ、例えば、ＹＺ平面に対して平行な平面である（第２柱部２５が弾性変形される前）。
【００２３】
また、図３に示すように、第１柱部２４のうち、部品取付面２２に取り付けられた状態の光学センサ１０の上面より突出する部分を先端側部分２４ｃと呼び、先端側部分２４ｃ以外の部分を基端側部分２４ｄと呼ぶ。同様に、第２柱部２５のうち、部品取付面２２に取り付けられた状態の光学センサ１０の上面より突出する部分を先端側部分２５ｃと呼び、先端側部分２５ｃ以外の部分を基端側部分２５ｄと呼ぶ。
【００２４】
第１柱部２４のＸ軸方向の外側には、第１くさび部３３（第１直線部３３ｃ及び第１くさび本体３３ｄ）が挿入される空間Ｓ１（図１参照）を挟んで第１押さえ部２６が設けられている。同様に、第２柱部２５のＸ軸方向の外側には、第２くさび部３５（第２直線部３５ｃ及び第２くさび本体３５ｄ）が挿入される空間Ｓ２（図１参照）を挟んで第２押さえ部２７が設けられている。第１くさび部３３及び第２くさび部３５については後述する。
【００２５】
第１押さえ部２６及び第２押さえ部２７は、それぞれ、Ｚ軸方向に延びる角柱である。
第１押さえ部２６のＹ軸方向の長さは、第１柱部２４のＹ軸方向の長さより長い。同様に、第２押さえ部２７のＹ軸方向の長さは、第２柱部２５のＹ軸方向の長さより長い。
【００２６】
以下、第１押さえ部２６の第１柱部２４（外側面２４ｂ）が対向する側の面を内側面２６ａと呼ぶ。同様に、第２押さえ部２７の第２柱部２５（外側面２５ｂ）が対向する側の面を内側面２７ａと呼ぶ。第１押さえ部２６の内側面２６ａ及び第２押さえ部２７の内側面２７ａは、それぞれ、例えば、ＹＺ平面に対して平行な平面である。
【００２７】
部品固定部材３０は、例えば、樹脂製（合成樹脂製）である。部品固定部材３０は、部品固定部材本体３１、第１穴３２と、第１くさび部３３と、第２穴３４と、第２くさび部３５と、第１当接部３６と、第２当接部３７と、ばね部材３８ａ、３８ｂと、を備えている。
【００２８】
部品固定部材本体３１は、Ｙ軸方向に延びる一対のアーム部３１ａ、３１ｂとＸ軸方向に延びる一対のアーム部３１ｃ、３１ｄで構成された矩形フレーム状の部材である。部品固定部材本体３１は、光学センサ１０の上方に空間Ｓ３（図１参照）を挟んだ状態で配置されている。その際、部品固定部材本体３１の外形は、上面視で、光学センサ１０の外形と一致（又は略一致）している。
【００２９】
部品固定部材本体３１は、部品固定部材本体３１と光学センサ１０の間の空間Ｓ３に配置されたばね部材３８ａ、３８ｂによって光学センサ１０に固定されている。例えば、ばね部材３８ａ、３８ｂの一端側は部品固定部材本体３１（アーム部３１ｃ、３１ｄ）に固定され、他端側は光学センサ１０の上面（蓋部１２）に固定されている。
【００３０】
アーム部３１ａのうちＹ軸方向の中央部には、第１柱部２４が挿入される第１穴３２が形成されている。第１穴３２は、例えば、貫通穴である。図３に示すように、第１穴３２は、第１柱部２４が対応する位置Ｐ１からＸ軸方向の内側にシフトした位置Ｐ２に形成されている。
【００３１】
アーム部３１ａのうち第１穴３２のＸ軸方向の外側には第１くさび部３３が設けられ、内側には第１当接部３６が設けられている。
【００３２】
まず、第１くさび部３３について説明する。
【００３３】
第１くさび部３３は、第１柱部２４と第１押さえ部２６との間の空間Ｓ１（図１参照）に挿入される部分である。第１くさび部３３は、光学センサ１０のＸ軸方向の一方の側面１５ａとの間に空間Ｓ４（図３参照）を挟んで配置されている。
【００３４】
以下、第１くさび部３３の光学センサ１０（一方の側面１５ａ）が対向する側の面を内側面３３ａと呼び、その反対側の面を外側面３３ｂと呼ぶ。
【００３５】
また、図３に示すように、第１くさび部３３のうち、第１柱部２４の基端側部分２４ｄと第１押さえ部２６との間の空間Ｓ１に挿入される部分を第１直線部３３ｃと呼び、第１柱部２４の先端側部分２４ｃと第１押さえ部２６との間の空間Ｓ１に挿入される部分を第１くさび本体３３ｄと呼ぶ。
【００３６】
第１直線部３３ｃのＸ軸方向の長さＬ３（図１参照）は、第１柱部２４と第１押さえ部２６のＸ軸方向の間隔Ｌ４と同じ（又は略同じ）である。
【００３７】
第１くさび本体３３ｄの内側面３３ａは、テーパ面である。具体的には、図３に示すように、第１くさび本体３３ｄの内側面３３ａは、先端部側から基端部側に向かうに従って外側面３３ｂとの間の間隔が大きく（第１直線部３３ｃのＸ軸方向の長さＬ３より大きく）なるように傾斜したテーパ面である。以下、第１くさび本体３３ｄの内側面３３ａを第１テーパ面３３ａと呼ぶ。第１くさび本体３３ｄの外側面３３ｂは、例えば、ＹＺ平面に対して平行な平面である。
【００３８】
次に、第１当接部３６について説明する。
【００３９】
第１当接部３６は、後述のように弾性変形した第１柱部２４（内側面２４ａ）が当接する部分（例えば、突出部）である。第１当接部３６は、アーム部３１ａのうち第１穴３２のＸ軸方向の内側に上方に突出した状態で設けられている。
【００４０】
アーム部３１ａと同様、アーム部３１ｂのうちＹ軸方向の中央部には、第２柱部２５が挿入される第２穴３４が形成されている。第２穴３４は、例えば、貫通穴である。図３に示すように、第２穴３４は、第２柱部２５が対応する位置Ｐ３からＸ軸方向の内側にシフトした位置Ｐ４に形成されている。
【００４１】
アーム部３１ｂのうち第２穴３４のＸ軸方向の外側には、第２くさび部３５が設けられ、内側には第２当接部３７が設けられている。
【００４２】
まず、第２くさび部３５について説明する。
【００４３】
第２くさび部３５は、第２柱部２５と第２押さえ部２７との間の空間Ｓ２（図１参照）に挿入される部分である。第２くさび部３５は、光学センサ１０のＸ軸方向の他方の側面１５ｂとの間に空間Ｓ５（図３参照）を挟んで配置されている。
【００４４】
以下、第２くさび部３５の光学センサ１０（他方の側面１５ｂ）が対向する側の面を内側面３５ａと呼び、その反対側の面を外側面３５ｂと呼ぶ。
【００４５】
また、図３に示すように、第２くさび部３５のうち、第２柱部２５の基端側部分２５ｄと第２押さえ部２７との間の空間Ｓ２に挿入される部分を第２直線部３５ｃと呼び、第２柱部２５の先端側部分２５ｃと第２押さえ部２７との間の空間Ｓ２に挿入される部分を第２くさび本体３５ｄと呼ぶ。
【００４６】
第２直線部３５ｃのＸ軸方向の長さＬ５（図１参照）は、第２柱部２５と第２押さえ部２７のＸ軸方向の間隔Ｌ６と同じ（又は略同じ）である。
【００４７】
第２くさび本体３５ｄの内側面３５ａは、テーパ面である。具体的には、図３に示すように、第２くさび本体３５ｄの内側面３５ａは、先端部側から基端部側に向かうに従って外側面３５ｂとの間の間隔が大きく（第２直線部３５ｃのＸ軸方向の長さＬ５より大きく）なるように傾斜したテーパ面である。以下、第２くさび本体３５ｄの内側面３５ａを第２テーパ面３５ａと呼ぶ。第２くさび本体３５ｄの外側面３５ｂは、例えば、ＹＺ平面に対して平行な平面である。
【００４８】
次に、第２当接部３７について説明する。
【００４９】
第２当接部３７は、後述のように弾性変形した第２柱部２５（内側面２５ａ）が当接する部分（例えば、突出部）である。第２当接部３７は、アーム部３１ｂのうち第２穴３４のＸ軸方向の内側に上方に突出した状態で設けられている。
【００５０】
次に、上記構成の光学センサ１０を部品取付相手部材２０に取り付ける動作の一例について説明する。
【００５１】
図２、図３に示すように、光学センサ１０は、その下部が部品取付相手部材本体２１に形成された凹部２１ｃに挿入され、部品取付面２２上に配置された状態で部品取付相手部材２０に取り付けられる。
【００５２】
その際、まず、図１に示すように、光学センサ１０の底部１３と部品取付相手部材２０の部品取付面２２とを対向させた状態で、光学センサ１０（及びこれに固定された部品固定部材３０）を部品取付相手部材２０に近づける（図１中の矢印４０参照）。そして、第１くさび部３３の第１直線部３３ｃを第１柱部２４の先端側部分２４ｃと第１押さえ部２６との間の空間Ｓ１（図１参照）に挿入し、かつ、第１柱部２４の先端側部分２４ｃを第１くさび部３３の第１直線部３３ｃと光学センサ１０の一方の側面１５ａとの間の空間Ｓ４（図３参照）に挿入する。これと同時（又は略同時）に、第２くさび部３５の第２直線部３５ｃを第２柱部２５と第２押さえ部２７との間の空間Ｓ２（図１参照）に挿入し、かつ、第２柱部２５の先端側部分２５ｃを第２くさび部３５の第２直線部３５ｃと光学センサ１０の他方の側面１５ｂとの間の空間Ｓ５（図３参照）に挿入する。
【００５３】
次に、この状態からさらに光学センサ１０（及びこれに固定された部品固定部材３０）を部品取付相手部材２０に近づける。そして、第１くさび部３３の第１くさび本体３３ｄを第１柱部２４の先端側部分２４ｃと第１押さえ部２６との間の空間Ｓ１（図１参照）に挿入する。その際、第１くさび部３３の第１くさび本体３３ｄは、その外側面３３ｂが第１押さえ部２６の内側面２６ａに当接（面接触）し、当該第１押さえ部２６によって押さえられた状態で空間Ｓ１に挿入される。
【００５４】
これにより、第１柱部２４の先端側部分２４ｃが第１くさび本体３３ｄの第１テーパ面３３ａに沿って相対的に移動（摺動）する。つまり、第１柱部２４の先端側部分２４ｃが矢印４１（図３参照）の方向へ徐々に弾性変形する。
【００５５】
これと同時（又は略同時）に、第２くさび部３５の第２くさび本体３５ｄを第２柱部２５の先端側部分２５ｃと第２押さえ部２７との間の空間Ｓ２（図１参照）に挿入する。その際、第２くさび部３５の第２くさび本体３５ｄは、その外側面３５ｂが第２押さえ部２７の内側面２７ａに当接（面接触）し、当該第２押さえ部２７によって押さえられた状態で空間Ｓ２に挿入される。
【００５６】
これにより、第２柱部２５の先端側部分２５ｃが第２くさび本体３５ｄの第２テーパ面３５ａに沿って相対的に移動（摺動）する。つまり、第２柱部２５の先端側部分２５ｃが矢印４２（図３参照）の方向へ徐々に弾性変形する。
【００５７】
次に、この状態からさらに光学センサ１０（及びこれに固定された部品固定部材３０）を部品取付相手部材２０に近づける。そして、第１くさび本体３３ｄの第１テーパ面３３ａに沿って相対的に移動する第１柱部２４の先端側部分２４ｃを、アーム部３１ａに形成された第１穴３２に挿入する。これと同時（又は略同時）に、第２くさび本体３５ｄの第２テーパ面３５ａに沿って相対的に移動する第２柱部２５の先端側部分２５ｃを、アーム部３１ｂに形成された第２穴３４に挿入する。
【００５８】
次に、この状態からさらに光学センサ１０（及びこれに固定された部品固定部材３０）を部品取付相手部材２０に近づけて、光学センサ１０の下部を部品取付相手部材本体２１に形成された凹部２１ｃに挿入する。これにより、光学センサ１０は、当該光学センサ１０の両側面１５ａ、１５ｂが第１柱部２４と第２柱部２５で挟まれた状態で部品取付面２２上に配置される。
【００５９】
その際、第１くさび部３３の第１直線部３３ｃが第１柱部２４の基端側部分２４ｄと第１押さえ部２６との間の空間Ｓ１に挿入され、かつ、第１くさび部３３の第１くさび本体３３ｄが第１柱部２４の先端側部分２４ｃと第１押さえ部２６との間の空間Ｓ１に挿入される。
【００６０】
これにより、第１柱部２４の先端側部分２４ｃが、矢印４１の方向へさらに弾性変形されて、光学センサ１０の一方の側面１５ａの上端縁（角部）に当接して（付勢されて）これを押さえる（図３中の円Ｃ１で囲った範囲参照）。
【００６１】
また、上記のように弾性変形された第１柱部２４の先端側部分２４ｃが、アーム部３１ａに設けられた第１当接部３６に当接する（付勢される。図３中の円Ｃ２で囲った範囲参照）。これにより、第１当接部３６によって第１柱部２４の先端側部分２４ｃが第１くさび本体３３ｄの第１テーパ面３３ａに押しつけられる（付勢される）ため、第１柱部２４の先端側部分２４ｃの外側面２４ｂと第１くさび本体３３ｄの第１テーパ面３３ａが密着（又は略密着）した状態（つまり、両者間に摩擦力が働く状態）となる。
【００６２】
これと同時（又は略同時）に、第２くさび部３５の第２直線部３５ｃが第２柱部２５の基端側部分２５ｄと第２押さえ部２７との間の空間Ｓ２に挿入され、かつ、第２くさび部３５の第２くさび本体３５ｄが第２柱部２５の先端側部分２５ｃと第２押さえ部２７との間の空間Ｓ２に挿入される。
【００６３】
これにより、第２柱部２５の先端側部分２５ｃが、矢印４２の方向へさらに弾性変形されて、光学センサ１０の他方の側面１５ｂの上端縁（角部）に当接して（付勢されて）これを押さえる（図３中の円Ｃ３で囲った範囲参照）。
【００６４】
また、上記のように弾性変形された第２柱部２５の先端側部分２５ｃが、アーム部３１ｂに設けられた第２当接部３７に当接する（付勢される。図３中の円Ｃ４で囲った範囲参照）。これにより、第２当接部３７によって第２柱部２５の先端側部分２５ｃが第２くさび本体３５ｄの第２テーパ面３５ａに押しつけられる（付勢される）ため、第２柱部２５の先端側部分２５ｃの外側面２５ｂと第２くさび本体３５ｄの第２テーパ面３５ａが密着（又は略密着）した状態（つまり、両者間に摩擦力が働く状態）となる。
【００６５】
以上のように、第１柱部２４によって光学センサ１０の一方の側面１５ａの上端縁（角部）が押さえられ（図３中の円Ｃ１で囲った範囲参照）、第１当接部３６によって第１柱部２４の先端側部分２４ｃが押さえられ（図３中の円Ｃ２で囲った範囲参照）、第２柱部２５によって光学センサ１０の他方の側面１５ｂの上端縁（角部）が押さえられ（図３中の円Ｃ３で囲った範囲参照）、第２当接部３７によって第２柱部２５の先端側部分２５ｃが押さえられる（図３中の円Ｃ４で囲った範囲参照）。
【００６６】
これにより、部品取付面２２上に配置された光学センサ１０を部品取付相手部材２０に固定された状態で取り付けることができる。
【００６７】
以上のように固定されているため、部品取付相手部材２０に固定された状態の光学センサ１０に対して上向きの力が作用した場合（例えば、レンズ部１４を清掃する場合）、光学センサ１０は移動できない。このため、光学センサ１０が部品取付相手部材２０から取り外されるのを防止することができる。また、上部へはばね部材３８ａ、３８ｂで吸収され力が働かないため、光学センサ１０が上向きの力で取り外されるのを防止することができる。
【００６８】
上記のように固定された光学センサ１０は、次のようにして、部品取付相手部材２０から取り外すことができる。
【００６９】
すなわち、部品固定部材３０を光学センサ１０に向けて押圧して（図２中の矢印４３参照）、ばね部材３８ａ、３８ｂを圧縮変形（弾性変形）させ、第１柱部２４の先端側部分２４ｃに対する第１当接部３６の当接を解除し、かつ、第２柱部２５の先端側部分２５ｃに対する第２当接部３７の当接を解除することで、第１柱部２４の先端側部分２４ｃを第１くさび本体３３ｄの第１テーパ面３３ａに押しつける力（両者間に働く摩擦力）を除去し、かつ、第２柱部２５の先端側部分２５ｃを第２くさび本体３５ｄの第２テーパ面３５ａに押しつける力（両者間に働く摩擦力）を除去する。これにより、上記のように固定された光学センサ１０を図２中の矢印４４方向に引き抜くことで、部品取付相手部材２０から取り外すことができる。
【００７０】
以上説明したように、実施形態１にかかる部品取付構造１によれば、光学センサ１０（及びこれに固定された部品固定部材３０）を部品取付相手部材２０に向けて一方向（図１中の矢印４０参照）に移動させるだけで、光学センサ１０を部品取付相手部材２０に取り付けることができる。
【００７１】
次に、変形例について説明する。
【００７２】
上記実施形態１では、部品１０として光学センサを用いた例について説明したが、これに限らない。すなわち、部品１０として光学センサ以外の各種部品を用いてもよい。
【００７３】
また、上記実施形態１では、部品１０として直方体形状の部品を用いた例について説明したが、これに限らない。すなわち、部品１０は、第１柱部２４及び第２柱部２５によって押さえられる部分を有する部品であれば、どのような形状でもよい。
【００７４】
また、上記実施形態１では、部品固定部材３０が部品１０に固定されている例について説明したが、これに限らない。例えば、部品固定部材３０は、部品１０に固定されていなくてもよい。
【００７５】
また、上記実施形態１では、第１柱部２４及び第２柱部２５として角柱を用いた例について説明したが、これに限らない。すなわち、第１柱部２４及び第２柱部２５は、部品１０をその両側から押さえることができればどのような形状であってもよい。例えば、第１柱部２４及び第２柱部２５として角柱以外の多角柱、円柱、楕円柱等を用いてもよい。
【００７６】
また、上記実施形態１では、第１押さえ部２６及び第２押さえ部２７として角柱を用いた例について説明したが、これに限らない。すなわち、第１押さえ部２６及び第２押さえ部２７は、第１くさび部３３及び第２くさび部３５を押さえることができればどのような形状であってもよい。例えば、第１押さえ部２６及び第２押さえ部２７として角柱以外の多角柱、円柱、楕円柱等を用いてもよい。
【００７７】
（実施形態２）
以下、本発明の実施形態２である部品取付構造について説明する。
【００７８】
実施形態２の部品取付構造は第１当接部３６及び第２当接部３７を備えていない点以外実施形態１の部品取付構造１と同様の構成であるため、実施形態２の部品取付構造の図示は省略する。
【００７９】
実施形態２の部品取付構造は、光学センサ１０と、光学センサ１０が取り付けられる部品取付面２２を有する部品取付相手部材２０と、光学センサ１０を部品取付相手部材２０に固定する部品固定部材３０と、を備えている。
【００８０】
部品取付相手部材２０は、部品取付面２２を間に挟んだ状態で設けられた弾性変形可能な第１柱部２４及び第２柱部２５と、第１柱部２４の外側に空間Ｓ１を挟んで設けられた第１押さえ部２６と、第２柱部２５の外側に空間Ｓ２を挟んで設けられた第２押さえ部２７と、を備えている。
【００８１】
部品固定部材３０は、第１柱部２４と第１押さえ部２６の間の空間Ｓ１に挿入される第１くさび部３３と、第２柱部２５と第２押さえ部２７の間の空間Ｓ２に挿入される第２くさび部３５と、を備えている。
【００８２】
光学センサ１０は、当該光学センサ１０の両側面１５ａ、１５ｂが第１柱部２４と第２柱部２５で挟まれた状態で部品取付面２２上に配置されている。
【００８３】
実施形態２にかかる部品取付構造によれば、第１くさび部３３が第１柱部２４と第１押さえ部２６の間の空間Ｓ１に挿入されることで第１柱部２４が弾性変形して光学センサ１０の一方の側面１５ａを押さえ（図３中の円Ｃ１で囲った範囲参照）、かつ、第２くさび部３５が第２柱部２５と第２押さえ部２７の間の空間Ｓ２に挿入されることで第２柱部２５が弾性変形して光学センサ１０の他方の側面１５ｂを押さえる（図３中の円Ｃ３で囲った範囲参照）ことで、部品取付面２２上に配置された光学センサ１０を部品取付相手部材２０に固定された状態で取り付けることができる。
【００８４】
以上説明したように、実施形態２にかかる部品取付構造によっても、実施形態１と同様、光学センサ１０（及びこれに固定された部品固定部材３０）を部品取付相手部材２０に向けて一方向（図１中の矢印４０参照）に移動させるだけで、光学センサ１０を部品取付相手部材２０に取り付けることができる。
【００８５】
上記実施形態で示した数値は全て例示であり、これと異なる適宜の数値を用いることができるのは無論である。
【００８６】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００８７】
１  部品取付構造
１０  光学センサ（部品）
１１  センサケース
１２  蓋部
１３  底部
１４  レンズ部
１５ａ  一方の側面
１５ｂ  他方の側面
２０  部品取付相手部材
２１  部品取付相手部材本体
２１ａ  上面
２１ｂ  下面
２１ｃ  凹部
２２  部品取付面
２３ａ、２３ｂ  貫通穴
２４  第１柱部
２４ａ  内側面
２４ｂ  外側面
２４ｃ  先端側部分
２４ｄ  基端側部分
２５  第２柱部
２５ａ  内側面
２５ｂ  外側面
２５ｃ  先端側部分
２５ｄ  基端側部分
２６  第１押さえ部
２６ａ  内側面
２７  第２押さえ部
２７ａ  内側面
３０  部品固定部材
３１  部品固定部材本体
３１ａ−３１ｄ  アーム部
３２  第１穴
３３  第１くさび部
３３ａ  内側面（第１テーパ面）
３３ｂ  外側面
３３ｃ  第１直線部
３３ｄ  第１くさび本体
３４  第２穴
３５  第２くさび部
３５ａ  内側面
３５ａ  テーパ面（第２テーパ面）
３５ｂ  外側面
３５ｃ  第２直線部
３５ｄ  第２くさび本体
３６  第１当接部
３７  第２当接部
３８ａ、３８ｂ  ばね部材
【図１】
0006989149.tif 000002
【図２】
0006989149.tif 000003
【図３】
0006989149.tif 000004